(57)【特許請求の範囲】
【請求項１】
長方形状のトレイ本体を二分する線を挟む左右の夫々の部位に、前記トレイ本体の周縁に適合した形状のアームを枢支し、各アームあるいは前記トレイ本体に互いを係合するバックルを設け、該バックルによって前記アームを前記トレイ本体に固定した状態で前記アームがトレイ本体に敷かれるシーツを押える構造であって、
前記アームを、前記トレイ本体の長辺に沿って配置される相対向した腕部と前記トレイ本体の短辺に沿って配置され前記両腕部を連結する連結部とからなる所定の弾性を有したコ字状の部材で形成し、前記バックルによる係合位置を前記連結部に設定するとともに、先端部が前記トレイ本体に枢支された前記各腕部を、前記シーツを押える方向に突出する湾曲状に形成したことを特徴とするペット用トレイ。
【請求項２】
長方形状のトレイ本体と、該トレイ本体に複数の固定手段によって固定される前記トレイ本体の周縁に適合した枠形状の押え部材とからなり、前記トレイ本体に敷かれるシーツを、前記押え部材によって押えるペット用トレイにおいて、
前記押え部材を、所定の弾性を有する部材で形成し、前記固定手段を、当該押さえ部材の対向した両短辺に設定する一方、
前記押さえ部材の両長辺を、前記シーツを押える方向に突出する湾曲状に形成したことを特徴とするペット用トレイ。
【請求項３】
前記押え部材を前記トレイ本体とは別体に設けたことを特徴とする請求項２記載のペット用トレイ。
【発明の詳細な説明】
【０００１】
【産業上の利用分野】
本発明は、トレイ本体にシーツを脱着自在に装着するペット用トレイに関する。
【０００２】
【従来の技術】
従来、ペット用トレイは、トレイの汚れを防止するシーツが脱着できるように構成されている。ペット用のトレイとしては、実公平５−６７７４号公報に開示されている犬用トイレが知られている。この犬用トイレは、図８から図１０に示すように、犬用トイレを形成する底面方形状の容器体１と、該容器体１の底部に敷かれるシーツ２と、前記容器体１に内嵌し、前記シーツ２を押える押え枠３により構成されている。
【０００３】
前記容器体１の前面を形成する周壁には、前記押え枠３を枢着するヒンジ凹部４，４が形成されており、これに対向する後面側の周壁にはフック凹部５が形成されている。一方、前記押え枠３には、前記ヒンジ凹部４に係合するヒンジ凸部６，６と、前記フック凹部５に噛合可能なフック凸部７とが設けられており、押え枠３には、押え枠３が容器体１に装着されたとき、前記シーツ２を押圧する押圧部８が、押え枠３の全周にわたり突設されている。
【０００４】
使用に際しては、容器体１内にシーツ２を敷いた後、前記押え枠３を、前記ヒンジ凸部６，６を軸として回転させ、フック凸部７をフック凹部５に噛合させる。すると、シーツ２は押え枠３の押圧部８によって押圧される。
【０００５】
【発明が解決しようとする課題】
しかしながら、従来の犬用トイレにあっては、シーツ２を押圧する押圧部８は押え枠３の全周に形成されているが、押え枠３は、ヒンジ凸部６，６とフック凸部７とにより容器体１に係合されていて、これらの部分のみが下方へ押し付けられている。このため、ヒンジ凸部６，６の下方とフック凸部７の下方は充分に押圧されるが、他の部分での押圧力は低下してしまい、押圧部８による押圧力には部分的な偏りができてしまう。また、押圧部８とシーツ２との間に異物が挟まってしまった場合には、該異物によって押圧部８が全体的に持ち上がり、押圧部８による押圧力は著しく低下してしまう。このような状態下において、シーツ２上でペットが動き回ったり、爪を立てたりした場合にはシーツ２がずれてしまうことがある。この場合、容器体１への汚れを防止するシーツ２の本来の機能が充分に発揮できないという問題点が生じる。
【０００６】
本発明は、このような従来の課題に鑑みてなされたものであり、取り付けられるシーツを強固に固定できるペット用トレイを提供することを目的とする。
【０００７】
【課題を解決するための手段】
前記課題を解決するために請求項１の発明にあっては、長方形状のトレイ本体を二分する線を挟む左右の夫々の部位に、前記トレイ本体の周縁に適合した形状のアームを枢支し、各アームあるいは前記トレイ本体に互いを係合するバックルを設け、該バックルによって前記アームを前記トレイ本体に固定した状態で前記アームがトレイ本体に敷かれるシーツを押える構造であって、前記アームを、前記トレイ本体の長辺に沿って配置される相対向した腕部と前記トレイ本体の短辺に沿って配置され前記両腕部を連結する連結部とからなる所定の弾性を有したコ字状の部材で形成し、前記バックルによる係合位置を前記連結部に設定するとともに、先端部が前記トレイ本体に枢支された前記各腕部を、前記シーツを押える方向に突出する湾曲状に形成した。
【０００８】
また、請求項２の本発明にあっては、長方形状のトレイ本体と、該トレイ本体に複数の固定手段によって固定される前記トレイ本体の周縁に適合した枠形状の押え部材とからなり、前記トレイ本体に敷かれるシーツを、前記押え部材によって押えるペット用トレイにおいて、前記押え部材を、所定の弾性を有する部材で形成し、前記固定手段を、当該押さえ部材の対向した両短辺に設定する一方、前記押さえ部材の両長辺を、前記シーツを押える方向に突出する湾曲状に形成した。
【０００９】
さらに、請求項３の発明では、前記押え部材を前記トレイ本体とは別体に設けた。
【００１０】
【作用】
前記構成において、請求項１の構成にあっては、後述する請求項２の作用と同様に、アームによるシーツの押圧力は、アームが枢支された部位とバックルとの間にて均一となる。加えて、アームはトレイ本体に枢支されているので、アームをトレイ本体に固定する際に、アームを片手で取り扱うことができる。そして、バックルを操作することによりアームの固定が行われる。
【００１１】
請求項２の構成において、トレイ本体にシーツを敷き、弾力性があり前記シーツを押える方向に突出する湾曲状の枠形状の押え部材を前記シーツに押し付け、固定手段によって前記トレイ本体に固定する。すると、押え部材は、トレイ本体の形状に合わせて変形し、シーツを押さえ付ける。このとき、押える部材には元の湾曲した形状にもどろうとする復元力が働き、シーツには、各固定手段間において均一な押圧力が加わる。
【００１２】
また、請求項３の構成では、請求項２の作用に加えて、トレイ本体と押え部材とは別体であるため、シーツがトレイ本体より大きく、トレイ本体からはみ出す場合であっても、シーツを、押え部材とトレイ本体間に挟み込み固定手段によって、トレイ本体に固定することができる。したがって、トレイ本体の大きさに合ったシーツを用意したり、またトレイ本体より大きなシーツをトレイ本体の形状に合わせて加工する準備作業も不要となる。
【００１３】
【実施例】
以下、本発明の第１実施例を図面に従って説明する。図１に示すように、ペット用トレイは、合成樹脂製であり、トレイ本体９と、該トレイ本体９に枢支された押え部材としての２本のアーム１０，１０と、各アーム１０，１０の夫々に枢支された固定手段であるバックル１１，１１とからなる。
【００１４】
前記トレイ本体９は、図２および図６にも示すように、長方形板状の底面１２と、該底面１２の周縁を上方側へ曲げてなる周壁１３とにより容器状に形成されている。該周壁１３は、その高さが短辺を形成する対向する部位から長辺の一部にかけて前記アーム１０，１０の厚み分低くなるように設定されており、周壁１３には、前記底面１２に平行した水平フランジ１４が全周にわたり形成されている。これらにより、水平フランジ１４には、高さの低い低部１５，１５が形成され、この低部１５，１５にアーム１０，１０が取り付けられた状態で、トレイ本体９の開口縁部が面一となるように構成されている。
【００１５】
また、前記低部１５の中央には、前記バックル１１，１１が取り付けられるバックル取付部１６，１６が形成されており、このバックル取付部１６，１６の部分を除く水平フランジ１４の外周縁部は、前記周壁１３を包囲するように下方へ向けて折り返されている。さらに、前記低部１５には、前記バックル取付部１６を挟むように上方に膨出した膨出部１５ａ，１５ａが設けられており、取り付けられたアーム１０が、がたつかないように構成されている。
【００１６】
前記底面１２には、円形の凸部１２ａが複数箇所に設けられており、底面１２の周縁部には、前記低部１５，１５に沿ったストッパー１８，１８が突設されている。さらに、トレイ本体９の底面の四隅には、滑り止めのゴム１９，・・・が設けられており、加えて、前記水平フランジ１４および底面１２の裏面には、トレイ本体９の剛性を高めるリブ１７，１７が突設されている。
【００１７】
一方、合成樹脂製で弾性を有した前記アーム１０は、図３にも示すように、下方へ向けて突出する湾曲状に形成された相対向する腕部２１，２１と、各腕部２１，２１を連結する連結部２２とからなる、前記低部１５に適合する平面コ字状に形成されており、前記アーム１０の内周には、下方への段差を有した板状の押え板２３が連設されている。該押え板２３の裏面には、押え板２３の延在方向に沿った押圧部２４が、２本突設されており、各押圧部２４，２４は、アーム１０が前記低部１５に取り付けられた状態で、各ストッパー１８，１８を挟むように配置されている。また、前記アーム１０の中央部には、図４にも示すような、前記水平フランジ１４と係合可能なフック部２５を有したバックル１１が回動自在に枢支されており、該バックル１１の中央部には、ロック状態にあるバックル１１に、指を介挿させてアンロック操作ができるような隙間２６が形成されている。
【００１８】
以上の構成からなる本実施例において、ペット用トレイをペットのトイレとして使用する際には、図５および図６に示すように、トレイ本体９に市販の吸収シーツ３０を敷いて片手で夫々のアーム１０，１０を下方に回動させる。このとき、弾性を有し、下方へ湾出したアーム１０，１０は、底面１２の形状に合わせて変形し、前記押え板２３に形成された押圧部２４，２４が吸収シーツ３０を押さえ付ける。そして、バックル１１のフック部２５をバックル取付部１６の水平フランジ１４に係合させ、バックル１１をロック状態にする。すると、アーム１０，１０には、元の湾曲した形状にもどろうとする復元力が働くが、アーム１０，１０の一方はトレイ本体９に枢支され、他方はバックル１１によってトレイ本体９にロックされているので、この力は吸収シーツ３０を押える方向に働く。このため、吸収シーツ３０には、枢支された部分とバックル１１との間において均一な押圧力が加わり、前記押圧力に部分的な偏りが発生しない。また、アーム１０とトレイ本体９との間に異物が挟まってしまった場合には、該異物によりアーム１０が部分的に持ち上がるが、この異物を支点として、異物とバックル１１、あるいは異物と枢支部分との間に前記押圧力が生じる。したがって、アーム１０の押圧力が著しく低下することはなく、吸収シーツ３０上でペットが動き回ったり、爪を立てたりした場合であっても、吸収シーツ３０のずれを防止することが可能となる。
【００１９】
なお、本実施例では、トレイ本体９を長方形容器状とし、アーム１０の腕部２１が下方へ向けて突出する湾曲状のものを示したが、例えば、円板状のトレイ本体に、バックルを有するアーチ状のアームを枢支し、該アームのトレイ本体に枢支される部位からバックルに亙る全域を、シーツを押える方向に突出する湾曲状に形成しても良い。
【００２０】
図７は本発明の第２実施例を示すもので、合成樹脂製のトレイ本体９と、該トレイ本体９の周縁部に適合した形状の押え部材としての枠体３１と、該枠体３１の相対向する箇所に設けられた固定手段である２つのバックル１１，１１とからなる。
【００２１】
前記トレイ本体９は、前実施例と同様に、長方形板状の底面１２と、該底面１２の周縁を上方側へ曲げてなる周壁１３とにより容器状に形成されており、該周壁１３には、前記底面１２に平行した水平フランジ１４が全周にわたり形成されている。トレイ本体９の短辺を形成する水平フランジ１４の中央部には、夫々にバックル１１，１１が取り付けられるバックル取付部１６，１６が形成されており、このバックル取付部１６を除く水平フランジ１４の外周縁部は、前記周壁１３を包囲するように下方へ向けて折り返されている。また、前記底面１２の周縁部には、周縁に沿って延在するストッパー１８が突設されている。
【００２２】
一方、合成樹脂製で弾性を有した枠体３１は、底面１２の周縁部に適合した形状で、相対向する各短辺部３２，３２、各長辺部３３，３３とからなる矩形状に形成されており、各長辺部３３，３３は下方へ向けて突出する湾曲状に形成されている。前記両短辺部３２，３２の中央には、前記バックル取付部１６の水平フランジ１４に係合するバックル１１，１１が回動自在に取り付けられている。前記枠体３１の内周には、前実施例と同様に、図示しない下方へ段差を有した板状の押え板が連設されており、該押え板の裏面には、押え板の延在方向に沿った押圧部が、枠体３１がトレイ本体９に取り付けられた状態で、前記ストッパー１８を挟むように、２本突設されている。
【００２３】
以上の構成からなる本実施例において、ペット用トレイを使用する際には、先ずトレイ本体９に新聞紙を敷く。このとき、新聞紙がトレイ本体９よりはみ出している場合であっても、枠体３１を新聞紙上からトレイ本体３１に合わせ、各短辺部３２，３２を下方に押し付ける。すると、前記枠体３１は、底面１２の形状に合わせて変形し、前記押え板に形成された押圧部が新聞紙を押さえ付ける。そして、バックル１１をバックル取付部１６の水平フランジ１４に係合させ、バックル１１をロック状態にする。すると、枠体３１には、元の湾曲した形状にもどろうとする復元力が働くが、枠体３１はバックル１１によってトレイ本体９にロックされているので、この力は新聞紙を押える方向に働く。前記新聞紙には、枠体３１により均一な押圧力が加わり、前記押圧力に部分的な偏りは発生しない。また、枠体３１と底面１２との間に異物が挟まってしまった場合には、該異物により枠体３３が部分的に持ち上がるが、この異物を支点として、異物とバックル１１との間に前記押圧力が生じる。したがって、枠体３１の押圧力が著しく低下することはなく、新聞紙上でペットが動き回ったり、爪を立てたりした場合であっても、新聞紙のずれを防止することができる。
【００２４】
また、トレイ本体９に敷かれる新聞紙を、トレイ本体９と同形状に加工するなどの手間が省け、さらには、トレイ本体の大きさに対応した市販のシーツを購入せずに新聞紙で代用し、トレイ本体９を使用する際のコストを低減させることができる。
【００２５】
なお、本実施例では、バックル１１を枠体３１側に設けたが、トレイ本体側に設けても良い。
【００２６】
【発明の効果】
以上説明したように本発明の請求項１の構成にあっては、後述する請求項２と同様の効果に加えて、アームの操作を片手で行えるので、シーツの取り付け、取り外しが容易に行えるペット用トレイとなり得る。
【００２７】
請求項２の構成にあっては、押え部材がシーツを押える押圧力は、複数の固定手段間において均一に働くため、押圧力に部分的な偏りが発生しない。また、押え部材とトレイ本体との間に異物が挟まってしまった場合には、該異物により押え部材が部分的に持ち上がるが、この異物を支点として、異物と各固定手段との間に前記押圧力が生じる。したがって、押え部材の押圧力が著しく低下することはなく、シーツ上でペットが動き回ったり、爪を立てたりした場合であっても、シーツのずれを防止することができる。
【００２８】
また、請求項３の構成では、請求項２の効果に加えて、シーツがトレイ本体より大きな場合であっても取り付けが可能であるため、トレイ本体の大きさに対応した市販のシーツを購入せずに、新聞紙や広告紙などをシーツとして利用することができ、経済的である。
【図面の簡単な説明】
【図１】  本発明の第１実施例を示す斜視図である。
【図２】  同実施例の要部を示す平面図である。
【図３】  同実施例のアームの要部を示す平面図である。
【図４】  同実施例のバックルを示すの斜視図である。
【図５】  同実施例の要部を示す側面図である。
【図６】  同実施例のアームがシーツを押えた状態を示す断面図である。
【図７】  本発明の第２実施例を示す斜視図である。
【図８】  従来の犬用トイレを示す斜視図である。
【図９】  図８のＡ−Ａ断面図である。
【図１０】  図８のＢ−Ｂ断面図である。
【符号の説明】
９    トレイ本体
１０    アーム
１１    バックル
１４    水平フランジ
１８    ストッパー
２１    腕部（シーツを押える方向に突出する湾曲状の押え部材）
２４    押圧部
３０    吸収シーツ
３１    枠体
３３    長辺部（シーツを押える方向に突出する湾曲状の押え部材）
【図１】
0003846909.tif 000002
【図２】
0003846909.tif 000003
【図３】
0003846909.tif 000004
【図４】
0003846909.tif 000005
【図５】
0003846909.tif 000006
【図６】
0003846909.tif 000007
【図７】
0003846909.tif 000008
【図８】
0003846909.tif 000009
【図９】
0003846909.tif 000010
【図１０】
0003846909.tif 000011